(57)【要約】【課題】ガス容器の交換時や異常発生時の安全のための動作が確実に実行できるうえに、使い勝手が良好であるようにする。【解決手段】２個のガス容器収容部１２と、２個の火口部１３と、これらガス容器収容部１２と火口部１３を１対１対応で接続するガス流路を有した複数系統のカートリッジガスこんろ１１において、すべてのガス容器収容部１２に、ガス容器１５が接続されていることを検出する容器装着スイッチ１９を備える。そして、ガス流路に備えられてガス流を調節する開閉弁１８を電磁弁で構成するとともに、開閉弁１８の操作を行う操作つまみ６３に、開弁時にＯＮとなり閉弁時にＯＦＦとなる点火スイッチ２０を設ける。これら容器装着スイッチ１９と開閉弁１８と点火スイッチ２０を電子制御して、点火処理にはすべての容器装着スイッチ１９のＯＮを条件に点火スイッチ２０を有効とし、復旧処理にはすべての点火スイッチ２０のＯＦＦを要求する。【選択図】図１
2015055439.tif 000002
【特許請求の範囲】
【請求項１】
複数のガス容器収容部と、これと同数の火口部と、これらガス容器収容部と火口部を１対１対応で接続するガス流路を有した複数系統のカートリッジガスこんろであって、
前記すべてのガス容器収容部に、ガス容器が接続されていることを検出する容器装着スイッチを備え、
前記ガス流路に備えられてガス流を調節する開閉弁が、電磁弁で構成されるとともに、
該開閉弁の操作を行う操作つまみに、開弁時にＯＮとなり閉弁時にＯＦＦとなる点火スイッチが設けられ、
これら容器装着スイッチと開閉弁と点火スイッチが、制御部に接続され、
該制御部が、すべての容器装着スイッチからＯＮ信号を入力していることを条件に、点火スイッチが有効になるように制御する
カートリッジガスこんろ。
【請求項２】
前記各火口部での炎を検出する炎検出部と、当該カートリッジガスこんろに搭載された電子部品の過熱を検出する温度センサを備えるとともに、
これら炎検出部と温度センサを前記制御部に接続し、
該制御部が、前記炎検出部または温度センサの検出に基づいて、火口部の火炎がなくなったとの信号を受信したとき、または電子部品が過熱状態にあるとの信号を受信したときに、その受信した信号を発した側の火口部にガスを供給する前記開閉弁を閉じるとともに、その他の火口部側の開閉弁をすべて閉じるように制御する
請求項１に記載のカートリッジガスこんろ。
【請求項３】
前記制御部が、火口部に対応する操作つまみをすべて一旦「閉」にすることを条件に、いずれかの点火スイッチが有効となるように制御する
請求項２に記載のカートリッジガスこんろ。
【発明の詳細な説明】
【技術分野】
【０００１】
この発明は、いわゆるカセットこんろと称されるカートリッジガスこんろに関し、より詳しくは、たとえば２本のガス容器を使用し２箇所の火口に通じる２系統のガス流路を有したガスこんろ（ツインバーナー方式ガスこんろ）の安全のための構成に関する。
【背景技術】
【０００２】
日本国内において、前述のようなツインバーナー方式ガスこんろでは、ガス機器の製品安全にかかる規定にもとづく安全性確保のため、２本のガス容器が接続されていなければガスが出ないように構成されている。このため、たとえば使用中に一方のガス容器が空になってガス容器を交換する場合に、そのガス容器を外すとガスが残っている他方側の火口部にガスを供給する流路に設けられた開閉弁が閉止し、消火状態となる。
【０００３】
しかし、この状態でガス容器を接続すると、ガス容器を交換したときに、開閉弁が閉止していない他方側の火口部からガス漏れを起こすおそれがある。  
このため、下記特許文献１に開示されているような安全装置が提案された。
【０００４】
この安全装置は、一方の開閉弁が開いているとき、または開閉弁が開いている使用状態でガス容器が外れたときに、そのままではガス容器を接続できないようにするために、接続を阻止するためのばねやピンなどを備えるとともに、左右２個の操作つまみの軸を連繋して、一方の操作つまみの軸が閉弁方向へ回転したときにその回転を他方の操作つまみの軸に伝動するようにしている。この構成は、ばねやピン、連繋のためのつるまきばねなどを用いた機械的なものである。
【０００５】
このような構成によれば、ガス漏れが生じる状態でガス容器が接続されることを確実に阻止できるとともに、一方の操作つまみを閉位置にすれば他方の操作つまみも閉位置にすることができるので、不測にガス漏れを起こすようなことを防止することができるとされている。
【先行技術文献】
【特許文献】
【０００６】
【特許文献１】特開平８−３２０１２２号公報
【発明の概要】
【発明が解決しようとする課題】
【０００７】
しかしながら、ガス容器の接続を阻止するための構成がばねやピンを用いたものであるため、異物の侵入や、ばねの損傷や伸び等によって、正確に動作しなくなることがある。特に、連繋のための手段がつるまきばねで構成されているため、不測のガス漏れ防止の面では、動作の確実性の点で問題がある。
【０００８】
そのうえ、連繋のための手段は、左右の火口部の火力をそれぞれ調節するときに、一方の調節操作が他方に影響を与えてしまうので、所望する調節ができなくなるという難点もある。
【０００９】
そこで、この発明は、安全のための動作が確実に実行できるうえに、使い勝手が良好であるようにすることを主な目的とする。
【課題を解決するための手段】
【００１０】
そのための手段は、複数のガス容器収容部と、これと同数の火口部と、これらガス容器収容部と火口部を１対１対応で接続するガス流路を有した複数系統のカートリッジガスこんろであって、前記すべてのガス容器収容部に、ガス容器が接続されていることを検出する容器装着スイッチを備え、前記ガス流路に備えられてガス流を調節する開閉弁が、電磁弁で構成されるとともに、該開閉弁の操作を行う操作つまみに、開弁時にＯＮとなり閉弁時にＯＦＦとなる点火スイッチが設けられ、これら容器装着スイッチと開閉弁と点火スイッチが、制御部に接続され、該制御部が、すべての容器装着スイッチからＯＮ信号を入力していることを条件に、点火スイッチが有効になるように制御するカートリッジガスこんろである。
【００１１】
この構成では、すべての容器装着スイッチがＯＮ状態でない限り、制御部は点火スイッチが有効にならないように電気的に制御する。つまり、すべてのガス容器収容部にガス容器が装着されてはじめて、点火ができるようになる。また、複数の操作つまみはそれぞれ独立しているので、各火口部の燃焼状態は操作つまみを操作することにより、それぞれ個別自由に調整可能である。
【００１２】
容器装着スイッチと、電磁弁で構成される開閉弁と、操作つまみに連動する点火スイッチを制御部に接続して電気的に制御することに加えて、火口部での炎を検出する炎検出部や、搭載された電子部品の過熱を検出する温度センサも接続することによって、風や吹きこぼれ等により炎が立ち消えたこと、ガス容器内のガスがなくなったこと、あるいは過熱状態にあることを検出するように構成することができる。このような構成により、不測に消火状態になったあとで再度燃焼させようとする場合、一旦すべての操作つまみを「閉」としないと点火ができないように制御することで、不測のガス漏れ及び点火の発生を防止できる。
【発明の効果】
【００１３】
この発明によれば、電気的に制御して安全性確保のための動作を実行するので、機械的に行う場合よりも動作の確実性を向上できる。そのうえ、電気的に制御することから、操作つまみの動作を機械的に連携させる必要がない。このため各火口部の火力調節が所望とおりに自由に行え、操作性がよい。
【図面の簡単な説明】
【００１４】
【図１】カートリッジガスこんろの概略構成図。
【図２】バーベキューこんろの開蓋状態の斜視図。
【図３】バーベキューこんろの閉蓋状態の斜視図。
【図４】バーベキューこんろの正面図。
【図５】バーベキューこんろの左側面図。
【図６】バーベキューこんろの右側面図。
【図７】バーベキューこんろの平面図と底面図。
【図８】バーベキューこんろの背面図。
【図９】バーベキューこんろのテーブルの取り付け方を示す分解斜視図。
【図１０】脚部を折りたたんだ状態のバーベキューこんろの正面図。
【図１１】バーベキューこんろを移動するときの状態を示す斜視図。
【図１２】操作つまみからガス容器収容部にかけての概略構造の平面図。
【図１３】ブロック図。
【図１４】点火処理と継続燃焼処理のフローチャート。
【図１５】復旧処理のフローチャート
【発明を実施するための形態】
【００１５】
この発明を実施するための一形態を、以下図面を用いて説明する。  
図１は、カートリッジガスこんろ１１（以下、「ガスこんろ」という）の概略構成図であり、この図に示すように、ガスこんろ１１は、複数のガス容器収容部１２と、これと同数の火口部１３と、これらガス容器収容部１２と火口部１３を１対１対応で接続するガス流路を有した複数系統のガスこんろ１１である。図１においては、２本のガス容器１５を使用し２箇所の火口部１３に通じる２系統のガス流路を有したツインバーナー方式ガスこんろ１１を例示している。
【００１６】
このようなツインバーナー方式のガスこんろ１１は、たとえば図２に示したようなバーベキューこんろ１１ａとすることができる。このバーベキューこんろ１１ａは、野外でバーベキューをするときに好適に使用されるものである。
【００１７】
まず、バーベキューこんろ１１ａの全体の構成を説明してから、内部構成について説明する。
【００１８】
バーベキューこんろ１１ａは、こんろ本体部５１と、これを支える脚部５２とで構成されている。
【００１９】
こんろ本体部５１は、本体容器５３と、この本体容器５３の背面側の上部に枢着された開閉可能な蓋体５４を有している。蓋体５４を閉じると図３に示したように、こんろ本体部５１の全体でまとまりをもった偏平な略かまぼこ形の外観となる。つまり、蓋体５４は中空の薄いかまぼこ形に形成されている。蓋体５４の内部には、図２に示したように、平らな板材５５を固定して、内面を平らにしている。この板材５５には、バーベキューこんろの使用上の注意等を明示しておくこともできる。
【００２０】
また蓋体５４の上面の手前側には取っ手５６を、手前側の面（前面）の下端の左右２箇所には、閉じた状態を保持する留め具の一方５７ａを備えている。蓋体５４の左右両側には、図２に示したように、蓋体５４を開放したときに蓋体５４の開放角度を保持するための支持杆５８の端部が枢着されている。
【００２１】
本体容器５３は、図２に示したように、上に向けて左右２個の前記火口部１３を有する。それぞれの火口部１３の周囲には、支持プレート５９を着脱可能に保持し、この上に五徳６０が着脱可能に設けられている。支持プレート５９の縁は、本体容器５３の上端開口縁を覆うように取り付けられる。五徳６０に代えて、網（図示せず）を使用することも可能である。
【００２２】
本体容器５３の左右両側には、支持プレート５９の下から係止部６１が突設されており、前記支持杆５８の下端を着脱可能に係止する。本体容器５３が係止部６１を有するため、支持プレート５９には係止部６１をよけるための切欠部（図示せず）が形成されている。
【００２３】
本体容器５３の手前側の面（前面）には、左右の火口部１３に対応させて１個ずつ、図４に示したように、ガス容器１５を収容する前記ガス容器収容部１２を備えている。これらのガス容器収容部１２は、それぞれ前面に、開閉可能な蓋部６２を有する。ガス容器１５の収容は、先端のガス吐出側が対向して一直線上に並ぶように、ガス容器収容部１２に対して収容される。
【００２４】
このようなガス容器収容部１２を備えているため、本体容器５３の前面部は、図５、図６に示したように、下方部分が側面視において前方に丸く突出している。
【００２５】
前記蓋部６２よりも上方の位置には、図４等に示したように、蓋体５４における前記留め具の一方５７ａと係合する留め具の他方５７ｂを備える。
【００２６】
本体容器５３の前面における左右のガス容器収容部１２の間には、図２、図３、図４、図７（ａ）に示したように、点火と消火と火力調節のための２個の操作つまみ６３が回転可能に設けられている。
【００２７】
本体容器５３の両側面には、図２〜図８に示したように、取っ手６４が形成されている。取っ手６４は、平面視長方形枠形状である。この取っ手６４の左右両側には、横に長い長方形形状の取り付け穴６５を有する（図２、図３、図５、図６参照）。
【００２８】
取り付け穴６５は、図９に示したように、別体のテーブル６６を装着するための構造である。テーブル６６は、方形板状で、本体容器に接する面における前記取り付け穴６５に対応する位置に、側面視Ｌ字形をなす係止突起６６ａを有する。また、テーブルの底面には、取っ手６４における本体容器５３と反対側の部分６４ａに上から係合する係合部６６ｂを備えている。テーブル６６は、係止突起６６ａが取り付け穴６５に係止するとともに、係合部６６ｂが取っ手６４における本体容器５３と反対側の部分６４ａに係合することで、安定的に支持される。
【００２９】
本体容器５３の背面（後面）には、図８に示したように、複数の通気穴６７が形成されている。
【００３０】
本体容器５３の底面には、前記脚部５２を装着するとともに、図４、図８、図１０に示したように、脚部５２を開いた状態に保持する開保持具６８と、閉じた状態（折りたたみ状態）に保持する閉保持具６９を備えている。
【００３１】
前記脚部５２は、２本の脚担体を正面視Ｘ字状に組んで構成され、折りたたみ時には一直線状になる折りたたみ可能な構造である。
【００３２】
２本の脚担体は、ハンドル側脚担体７１と、車輪側脚担体７２である。ハンドル側脚担体７１は、全体として細幅板状をなし、図７（ｂ）に示したように、上側の一端に枢着軸７３、下側の他端に方形枠状のハンドル７４を備えている。枢着軸７３は、図４等に示したように、本体容器５３の底面に枢着されている。ハンドル７４は、図６に示したように、本体容器５３と同じくらいの幅広に形成され、安定性した支持を可能にしている。また、ハンドル７４の下端における幅方向の中間には、接地したときに地面から浮いてハンドル７４を持ちやすくするための湾曲部７４ａを有している。
【００３３】
車輪側脚担体７２は、図５、図６、図７（ｂ）に示したように、ハンドル側脚担体７１を挟むように並ぶ２本の平行な脚杆７５と、これらの下端をつなぐように設けられた横軸７６と、この横軸７６に回転可能に取り付けられた車輪７７と、脚杆７５の上端に設けられ、幅方向の外側に突出する係止軸７８を有する。横軸７６に取り付けられる車輪７７同士の間は、図５に示したように、こんろ本体部５１の前後方向の長さよりも長くして、安定した支持を図るとともに、脚部５２を折りたたんだときに車輪７７がこんろ本体部５１よりも外側に出るようにして、脚部７７を徒に長くしなくてすむようにしている。換言すれば、側面視において図１０に示したように、こんろ本体部５１と車輪７７とが重なっても、車輪７７の回転が阻害されることがないように構成されている。
【００３４】
この車輪側脚担体７２は、脚杆７５の長手方向の中間部がハンドル側脚担体７１の長手方向の中間部に枢着されている。この枢着をしている枢着部７９は、図４に示したように、車輪側脚担体７２とハンドル側脚担体７１をＸ字状にしたときに、本体容器５３の左右方向の中間位置に対応するように設定されている。これによってバランスの良い支持ができる。また、本体容器５３の底面には、そのときに車輪側脚担体７２の係止軸７８を係止して、脚部５２を伸ばした状態に保持する前記開保持具６８が備えられている。
【００３５】
本体容器５３の底面における左右方向の一端部には、図１０に示したように車輪側脚担体７２とハンドル側脚担体７１を一直線上にのばした姿勢、つまり折りたたんだ状態にしたときに、この状態を保持すべくハンドル側担体７１の細幅板状の部分を幅方向で挟んで係止する弾性変位可能な前記閉保持具６９を備えている（図３、図４参照）。
【００３６】
脚部５２を折りたたんだときには、図１１に示したように、ハンドル側脚担体７１のハンドル７４を持って引き上げて車輪７７だけを接地させれば、容易に移動可能な状態となる。
【００３７】
このようなバーベキューこんろ１１ａの内部構成は、図１に示したように、左右の火口部１３にそれぞれ、点火を行う点火プラグからなる点火部１６と、フレームロッドで構成される炎検出部１７を備えている。これらの火口部１３に対してそれぞれガスを供給する２つのガス流路には、個々にガス流を調節する開閉弁１８が設けられている。この開閉弁１８は、ソレノイドバルブ等の電磁弁で構成される。
【００３８】
ガスが充填されたガス容器１５を収容する２箇所のガス容器収容部１２には、図１２にも示したように、ガス容器１５が接続されていることを検出する容器装着スイッチ１９が備えられている。容器装着スイッチ１９は、ガス容器１５を押し込んでガスが出る状態にしたときにＯＮとなるように構成されている。左右の容器装着スイッチ１９がいずれもＯＮであるときに、火口部１３に点火を行うための点火スイッチ２０が有効状態となる。「有効」とは、点火スイッチ２０の機能が有効であるという意味である。
【００３９】
前記操作つまみ６３は、図１、図１２に示したように左右のガス容器収容部１２に対応させて設けられている。操作つまみ６３には、マイクロスイッチ等で構成される点火スイッチ２０が設けられる。この点火スイッチ２０は、有効状態において、ガス流路の開閉弁１８を開閉し、火口部１３に設けられた点火部１６に点火を実行させるものである。
【００４０】
また、各火口部１３に対応させて、搭載された電子部品の過熱を検出する温度センサ２１が適宜の箇所に設けられている（図１参照）。
【００４１】
これら容器装着スイッチ１９と、開閉弁１８と、点火スイッチ２０と、点火部１６と、炎検出部１７と、温度センサ２１は、図１３に示したように、制御部２２に接続され、動作の制御が行われる。制御部２２には、電力を供給する電池２３と、バーベキューこんろ１１ａの傾斜状態を検出する傾斜スイッチ（振動スイッチ）２４も接続される。
【００４２】
制御部２２は、シーケンサーで構成され、操作つまみ６３等からの入力に従って、あらかじめ記憶させたプログラムに基づいて点火部１６や開閉弁１８等を駆動制御する。制御部２２が有する記憶部（図示せず）には、駆動制御に必要な情報が記憶される。
【００４３】
制御部２２の制御動作とそれを行わせる作業の流れを、図１４、図１５のフローチャートを用いて説明すると、次のとおりである。
【００４４】
制御部２２は、すべての容器装着スイッチ１９からＯＮ信号を入力していることを条件に、点火スイッチ２０が有効になるように制御する。
【００４５】
すなわち、図１４の点火処理に示したように、制御部２２は、容器装着スイッチ１９が左右ともＯＮになっていると判断したときに（ステップｎ１）、点火スイッチ２０が有効になるようにする（ステップｎ２）。そして操作つまみ６３の開操作（ステップｎ３）が行われると、点火スイッチ２０がＯＮになり、同時にその信号が制御部２２に対して送信される。すると制御部２２は、開閉弁１８を開いて火口部１３にガスを供給し、点火部１６を駆動して、火口部１３に点火を行う（ステップｎ４）。図１４では、左側の火口部１３への点火について図示したが、右側の火口部１３への点火の場合もこれと同じである。
【００４６】
左右の容器装着スイッチ１９がＯＦＦ、またはいずれか一方の容器装着スイッチ１９がＯＦＦの場合には、容器装着作業（ステップｎ５）が行われない限り、点火スイッチ２０は有効にはならない。
【００４７】
点火が行われてガスが燃焼しているときには、炎検出部１７は火炎を検出し、その信号を制御部２２に送信している。温度センサ２１は所定の設定温度より高い温度を検知したときに過熱である旨の信号を制御部２２に送信する。
【００４８】
制御部２２は、炎検出部１７の検出に基づいて火口部１３の火炎がなくなった（消火状態）との信号を受信したとき、または温度センサ２１の検出に基づいて電子部品が過熱状態にあるとの信号を受信したときに、つまり異常発生時に、その信号を発した側の火口部１３にガスを供給する開閉弁１８を閉じるとともに、その他の火口部１３側の開閉弁１８をすべて閉じるように制御する。
【００４９】
つまり、図１４の継続燃焼処理に示したように、炎検出部１７が炎を検出せず、火口部１３の火炎がなくなったと判断したとき（ステップｎ６）には、あらかじめ定めた所定時間、たとえば数秒程度の計時をして（ステップｎ７）、その間に炎検出部１７から火炎を検出したとの信号を受信しないとき（ステップｎ８）には、ガスの欠乏や立ち消えと判断して、図１５に示す復旧処理に移行して、すべての火口部１３側の開閉弁１８を閉じる。
【００５０】
燃焼中における火炎の消滅時を説明したが、点火時におけるガスの欠乏や強風による点火不能の場合も、これと同じである。
【００５１】
炎検出部１７が火炎を検出している限り（ステップｎ６）、他の異常時と意思に基づく消火動作時を除いて、燃焼は継続する。
【００５２】
燃焼中に、温度センサ２１が所定温度以上の過熱を検知して（ステップｎ９）、制御部２２がその信号を受信したときには、即座に、図１５に示す復旧処理に移行して、すべての火口部１３側の開閉弁１８を閉じる。
【００５３】
温度センサ２１が過熱を検知しない限り（ステップｎ９）、他の異常時と意思に基づく消火動作時を除いて燃焼は継続する。
【００５４】
異常の一つに、前述の火炎の消滅と過熱のほかに、傾斜スイッチ２４の検出がある。つまり、バーベキューこんろ１１ａの使用状態において、こんろ本体部５１が平らになっていない場合や、燃焼中にバーベキューこんろ１１ａに対して不測に衝突したり接触したりして、バーベキューこんろ１１ａが動いた場合に、傾斜スイッチ２４が所定以上の傾き（振動）を検知し、この信号を制御部２２が受信すると（ステップｎ１０）、制御部２２は安全な使用を確保できないと判断し、即座に、図１５に示す復旧処理に移行して、すべての火口部１３側の開閉弁１８を閉じる。
【００５５】
傾斜センサ２４が過熱を検知しない限り（ステップｎ１０）、他の異常時と意思に基づく消火動作時を除いて燃焼は継続する。
【００５６】
燃焼継続中に操作つまみ６３を閉位置に回転すると、その操作つまみ６３に対応する側の点火スイッチ２０がＯＦＦとなり、この信号を制御部２２が入力し（ステップｎ１１）、開閉弁１８を閉じる。この結果、閉操作した操作つまみ６３に対応する側の火口部１３の燃焼は停止する。
【００５７】
操作つまみ６３を閉位置にしない限り（ステップｎ１１）、他の異常時を除いて燃焼は継続する。
【００５８】
図１４では左側の火口部１３における燃焼についての異常検出等を図示したが、右側の火口部１３における燃焼についてもこれと同じである。
【００５９】
異常が発生した場合の復旧処理は、火口部１３に対応する操作つまみ６３をすべて一旦「閉」にすることを条件に、制御部２２が、いずれかの点火スイッチ２０が有効となるように制御することで可能となる。
【００６０】
つまり、図１５に示したように、制御部２２は、異常発生時に左右の開閉弁１８を閉じ（ステップｎ１２）、左右の点火スイッチ２０をＯＦＦにして、点火スイッチ２０を有効状態から無効状態にする（ステップｎ１３）。つまり、点火スイッチ２０の機能を無効にする。これによって、操作つまみ６３は閉位置になくとも、左右の火口部１３の火炎は消えた状態になる。
【００６１】
そして、制御部２２が、温度センサ２１から過熱であるとの信号を受信ぜす（ステップｎ１４）、傾斜スイッチ２４から傾斜している旨の信号を受信せず（ステップｎ１５）、ガス容器１５にガスが残っている場合（ステップｎ１６）には、左右の操作つまみ６３を閉位置に回転（ステップｎ１７）したこと、つまり左右の点火スイッチ２０からＯＦＦ信号を受信したときに、リセットがなされ、前述の点火処理に移行可能となる。
【００６２】
温度センサ２１からの過熱検知信号を制御部が受信した場合（ステップｎ１４）には、所定時間、たとえば１０分以上放置するなどの冷却措置（ステップｎ１８）のあとであっても、温度センサ２１が過熱を検知しなくなるまでは、左右の操作つまみ６３を閉位置に回転していても、点火処理へは移行できない。
【００６３】
同様に、制御部２２が傾斜スイッチ２４からの傾斜検出信号を入力している限り、バーべキューこんろの姿勢を正して傾斜修正（ステップｎ１９）を行わない限り、左右の操作つまみ６３を閉位置に回転していても、点火処理へは移行できない。
【００６４】
復旧処理への移行が火炎の消滅によるものである場合、ガス容器１５のガスがなくなっている場合がある。このような場合には、空になったガス容器１５の交換（ステップｎ２０）を行うと、そのガス容器１５に対応する側の火口部１３の点火を可能な状態にすることができる。
【００６５】
操作つまみ６３が閉位置になっておらず、点火スイッチ２０からのＯＦＦ信号を制御部２２が受信しないときには、左右の操作つまみ６３の閉位置への回転操作（ステップｎ２１）に基づく点火スイッチ２０からのＯＦＦ信号の受信を待って、点火処理へと移行可能にする。
【００６６】
バーベキューこんろ１１ａは、前述のような構成であるので、次のような作用効果を有する。
【００６７】
点火を行うためには、左右の容器装着スイッチ１９がＯＮにならないかぎり、制御部２２は点火スイッチ２０を有効にしない、つまり点火スイッチ２０をＯＮにできないように制御するので、点火前に予備容器の組み込みができない状態とすることができる。このため、安全性を確保できる。しかも、電気的に制御するので、物理的な構造で予備容器の組み込みができないようにする場合のように、部材の変形や損傷等によって所望の作用効果が得られないというような状況を招来することはなく、確実性を高めることができる。
【００６８】
左右の操作つまみ６３は独立であって、物理的につながっていないので、それぞれ自由に回転が行える。つまり、燃焼状態において火力の調整等が操作つまみ６３ごとに自由に行え、一方の操作つまみ６３の動作が他方の操作つまみ６３に影響を与えてしまうような不都合の発生をなくすことができ、操作性が良好で使い勝手がよい。
【００６９】
燃焼中、何らかの原因で火炎が消えたり、異常な過熱状態が生じたり、バーベキューこんろが傾いたりして、燃焼を継続させるのが安全上好ましくない事態が生じたときには、制御部２２は、即座に復旧処理に移行して、左右の開閉弁１８を閉じてガスの供給を停止し、左右の点火スイッチ２０を無効にする。このため、安全性を確保できる。そして、左右の点火スイッチ２０が無効となったあとは、すべての異常が解消し、一旦、すべての操作つまみ６３を閉位置に回転してリセットしない限り、点火ができない状態となる。
【００７０】
つまり、たとえば左右の火口部１３での燃焼中に一方のガス容器１５が空になると、制御部２２は開閉弁１８を閉じて左右の火口部１３の燃焼を停止する。そのうえ、点火スイッチ２０を無効状態にする。したがって、空になったガス容器１５を交換するときに、ガスが不測に漏れたり、着火したりするおそれは一切ない。このため、安全性が高い。
【００７１】
しかも、リセットするための操作は、左右の操作つまみ６３を閉位置に回転させるだけでよいので、操作は極めて容易である。
【００７２】
また、バーベキューこんろ１１ａは、前述のように開閉可能な蓋体５４を有したこんろ本体部５１と、これを支持する折りたたみ可能な脚部５２を有する構成であり、移動が簡便に行えるためさまざまな場所で使用されうる。また、蓋体５４を開けて使用するので、風の影響などもうける。このため、前述のようにさまざまな事態に安全性を確保できる構成は、非常に有効である。しかも、復旧処理に必要な動作は、操作つまみ６３を回転するだけであるので、野外においても簡単に行え、便利に使用できる。
【００７３】
この発明の構成と前述の一形態の構成との対応において、  
この発明のカートリッジガスこんろは、前述のカートリッジガスこんろ１１とバーベキューこんろ１１ａに対応するも、  
この発明は前述の構成のみに限定されるものではない。
【００７４】
たとえば、ガス容器収容部１２を３個以上備えるカートリッジガスこんろ１１であってもよい。
【００７５】
また、カートリッジガスこんろ１１は、バーベキューこんろ１１ａ以外のものであってもよい。
【符号の説明】
【００７６】
１１…カートリッジガスこんろ
１１ａ…バーベキューこんろ
１２…ガス容器収容部
１３…火口部
１５…ガス容器
１７…炎検出部
１８…開閉弁
１９…容器装着スイッチ
２０…点火スイッチ
２１…温度センサ
２２…制御部
６３…操作つまみ
【図１】
2015055439.tif 000003
【図２】
2015055439.tif 000004
【図３】
2015055439.tif 000005
【図４】
2015055439.tif 000006
【図５】
2015055439.tif 000007
【図６】
2015055439.tif 000008
【図７】
2015055439.tif 000009
【図８】
2015055439.tif 000010
【図９】
2015055439.tif 000011
【図１０】
2015055439.tif 000012
【図１１】
2015055439.tif 000013
【図１２】
2015055439.tif 000014
【図１３】
2015055439.tif 000015
【図１４】
2015055439.tif 000016
【図１５】
2015055439.tif 000017